(57)【特許請求の範囲】
【請求項１】
一個の円板体(12)を縦にして自重落下させるための通路手段(11)と、この通路手段の円板体の通路(13)を取り囲んで巻かれている第1のコイル手段(21)と、この第1コイル手段の各サイド部をそれぞれ覆う第１ならびに第２のコア手段(15,16)と、これらのコア手段にそれぞれ巻かれている第2ならびに第3のコイル手段(22,23)と、を備えていることを特徴とした円板体の判別装置。
【請求項２】
一個の円板体(12)を縦にして自重落下させるための通路(13)を有する角筒の通路手段(11)と、前記通路手段の外周囲壁に巻かれた第１コイル手段(21)と、
前記第１コイルの各サイド部をそれぞれ覆い、かつ、前記通路を挟んで対称に前記通路手段のサイド壁に固定された端面Ｕ形の長い第１コア手段(15)および第２コア手段(16)と、前記第１コア手段に巻かれた第２コイル(22)と、前記第２コア手段に巻かれた第３コイル(23)と、を備えていることを特徴とする円板体の判別装置。
【請求項３】
請求項１或いは請求項２の記載において、前記通路手段が合成樹脂製であることを特徴とした円板体の判別装置。
【発明の詳細な説明】
【０００１】
【産業上の利用分野】
本発明は通貨である円板形のコインあるいはゲーム機に使用される円板形のメダルあるいはトークンなどの円板体を判別するための装置に関する。本発明は特に電子的に円板体の大きさや材質などを検出して円板体を判別するための円板体判別装置に関する。具体的には本発明は各種の自動販売機あるいは両替機あるいはゲーム機などに投入されたコインあるいはメダルによって動作が開始される機器に組み込まれるのに好適な円板体の判別装置に関する。
【０００２】
【従来の技術】
従来からコインなどの円板体を電子的に判別する装置としては投入された円板体がコイルの発生する磁束を変化させることを利用したものが知られている。こうした円板体の電子式判別装置としては種々のものが知られている。例えば特願平７−４６０８８号の明細書に記載された硬貨選別装置がある。
【０００３】
上記の明細書に記載された装置は、一枚の硬貨を通過するための通路手段と、この通路手段の各サイドにそれぞれ配置されていると共に和動接続されている２個のコイル手段と、前記通路の各サイドにそれぞれ配置されていると共に差動接続されている２個のコイル手段と、前記和動接続されている２個のコイル手段を含む回路に低い周波数を発振するための手段と、前記差動接続されている２個のコイル手段を含む回路に高い周波数を発振するための手段と、を備えていることを特徴とした硬貨選別装置である。
【０００４】
【発明が解決しようとする課題】
しかしながら上述された従来技術には問題点があった。すなわち投入された硬貨は必ず通路の底面を移動する必要があった。言い換えると選別される硬貨は必ず基準面になる通路の底面を移動する必要があった。このことは逆に述べると硬貨がコイル間を通過するときにはスムーズに通過して基準面に対する精度を維持する必要があるということであった。さらに選別されるコインが傾斜する基準面を自重で回転移動する必要があるためコインの選別速度が制限されるという問題点があった。
【０００５】
本発明は上述した従来技術の問題点を解決する目的から開発されたものである。すなわち本発明は装置構造をシンプルにすると共にコインを自重落下させてコインの判別速度を向上する目的から開発されたものである。
【課題を解決するための手段】
本発明は、一個の円板体を縦にして自重落下させるための通路手段と、この通路手段の円板体の通路を取り囲んで巻かれている第1のコイル手段と、この第1コイル手段の各サイド部をそれぞれ覆う第１ならびに第２のコア手段と、これらのコア手段にそれぞれ巻かれている第2ならびに第3のコイル手段と、を備えていることを特徴とした円板体の判別装置である。
【０００６】
また本発明は、一個の円板体を縦にして自重落下させるための通路を有する角筒の通路手段と、前記通路手段の外周囲壁に巻かれた第１コイル手段と、前記第１コイルの各サイド部をそれぞれ覆い、かつ、前記通路を挟んで対称に前記通路手段のサイド壁に固定された端面Ｕ形の長い第１コア手段および第２コア手段と、前記第１コア手段に巻かれた第２コイルと、前記第２コア手段に巻かれた第３コイルと、を備えていることを特徴とする円板体の判別装置である。加えて本発明は、前記通路手段が合成樹脂製であることを特徴とした円板体の判別装置である。
【発明の実施の形態】
以下に本発明を其の実施について添付の図面を参照して説明する。図１の（Ａ）は本発明による一実施例の要部を概略的に示した斜視図であり、図１の（Ｂ）は当該要部を正面から見た概略の断面図である。
【０００７】
図２の（Ａ）は図１の実施例の接続関係を示す説明図であり、図２の（Ｂ）は同上要部の磁束を説明するための説明図である。図３は上記の実施例に使用されるブロック回路図である。図１に示される厚板形の角筒のものはスロット体１１であり例えば合成樹脂の成型品からなる。なおスロット体１１はゴム製あるいは木製などが考えられる。スロット体１１の中央には円板体であるコイン１２が自由に自重落下で通過できる通路１３が形成されている。
【０００８】
スロット体１１の外周囲壁の中央に巻かれて結果として通路１３を囲んでいるのはセンサ用の第１のコイル２１である。この第１コイル２１の各サイド部は端面Ｕ形のやや長い第１コア１５、第２コア１６によってそれぞれ覆われている。なお、これら第１コア１５、第２コア１６はフェライトあるいは鉄、鋼板などからなりそれぞれ中央にセンサ用の第２コイル２２、第３コイル２３が巻かれている。また、一対になる第１コア１５、第２コア１６は端面Ｕ形の長手両端縁が接着剤によってそれぞれスロット体１１のサイド壁に固定されている。
【０００９】
通路１３を囲んで巻かれた第１のコイル２１は第１の発振回路３１に接続され第１コア１５、第２コア１６に巻かれた第２コイル２２、第３コイル２３は直列に接続されて第２の発振回路３２に接続されている（図２（Ａ）ならびに図３を参照）。第１の発振回路３１には検波回路３３が接続され此の検波回路３３には整流回路３５が接続され此の整流回路３５はアナロダ信号からデジタル信号への変換器３７に接続されている。同様に第２の発振回路３２には検波回路３４が接続され此の検波回路３４には整流回路３６が接続され此の整流回路３６はアナログ信号からデジタル信号への変換器３７に接続されている。
【００１０】
変換器３７はＣＰＵなどの信号処理ユニット３８に接続され此の信号処理ユニット３８にはメモリ３９ならびにゲート４１が接続されている。
上述した構成の実施例では、図２の（Ｂ）に示すように第１コイル２１からは第1の発振回路３１からの交流電流に基づいて落下通路１３において上下方向に反転する磁束１が発生する。
また第2コイル２２、第3コイル２３は、第2の発振回路３２からの交流電流に基づいて落下通路１３を横断し、かつ、左右方向に反転する磁束２が発生する。
よって、落下通路１３において第1の磁束１及び第2の磁束２が存在するが、それら磁束の方向が異なっているために、磁束１と磁束２は干渉することが無い。
【００１１】
この状態でコイン１２が落下通路１３を通過すると第１発振回路３１による第１の発振信号の振幅が変化されると共に第２発振回路３２による第２の発振信号の振幅が変化されることになる。コイン１２の通過によって振幅が変化された第１の発振信号は検波回路３３で検波されると共に整流回路３５によって整流され更に変換器３７によってデジタル信号の第１のデータ３に変換され信号処理ユニット３８に送信される。同様にコイン１２の通過によって振幅が変化された第２の発振信号は検波回路３４で検波されると共に整流回路３６によって整流され更に変換器３７によってデジタル信号の第２のデータ４に変換され信号処理ユニット３８に送信される。
【００１２】
なお第１コイル２１による第１のデータ３は主としてコイン１２の断面積に関連し副としてコイン１２の材質に関連している。したがって予め真正なコイン１２のデータを得てメモリ３９に記憶しておくと通過するコイン１２が真正なものか否かが判定できることになる。また第２コイル２１による第２のデータ４は主としてコイン１２の直径に関連し副としてコイン１２の材質に関連している。したがって予め真正なコイン１２のデータを得てメモリ３９に記憶しておくと通過するコイン１２が真正なものか否かが判定できることになる。
【００１３】
上述のようにして信号処理ユニット３８は通路１３を落下するコイン１２のデータ３、４とメモリ３９に予め記憶された真正コインのデータとを比較する。信号処理ユニット３８において落下コイン１２が真正であると判断されるとゲート４１に駆動信号が送られて当該コイン１２は金庫（図示略）に取り込まれることになる。なお二組のセンサコイル２１〜２３を使用している場合において（図３を参照）周波数の検出回路５１が発振回路３１の後段と信号処理ユニット３８との間に接続されるとコイン１２の判別性能を向上することが出来る。
【００１４】
この場合は第１発振回路３１からの信号の周波数変化を検出できるため落下コイン１２の材質を判別できることになるからである。したがって周波数検出回路５１の追加は本発明による第二の実施例ということが出来る。図４は第三の実施例の要部を示す図面であり図４の（Ａ）は本実施例の断面端面図であり図４の（Ｂ）は本実施例のブロック回路図である。一対の第１コア１５、第２コア１６下方のスロット体１１の外周壁に巻かれて通路１３を取り囲んでいるのがセンサ用の第４のコイル５４である。
【００１５】
したがって図４に示される第三の実施例は三組のコイル２１〜２３、５４を備えていることになる。なお第４コイル５４の各サイド部は端面Ｕ形のやや長いコア５２、５３によってそれぞれ覆われている。センサ用のコイル５４には第３の発振回路５５が接続され此の発振回路５５には検波回路５６が接続され此の検波回路５６には整流回路５７が接続され此の整流回路５７は変換器３７（図３を参照）に接続される。なお第３の発振回路５５は第１、第２の発振回路３１、３２よりも低い周波数の信号を発振することが望ましい。
【００１６】
落下コイン１２が通路１３を通過すると第３発振回路５５による第３の発振信号の振幅が変化されることになる。コイン１２の通過によって振幅が変化された第３の発振信号は検波回路５５で検波されると共に整流回路５６によって整流され更に変換器３７によってデジタル信号の第３のデータに変換され信号処理ユニット３８に送信される。なお第４コイル５４による第３のデータは主にコイン１２の材質に関連している。したがって予め真正な落下コイン１２の第３のデータを得てメモリ３９に記憶しておくと通過するコイン１２が真正なものか否かが判定できることになる。
【００１７】
この結果、本装置のコイン判別能力が向上することになる。図５は第四の実施例の要部を示す図面であり図５の（Ａ）は本実施例をサイドから見た断面の端面図であり図５の（Ｂ）は本実施例を正面から見た断面図である。第四の実施例は図５の（Ｂ）に示されるようにセンサコイル２１〜２３の下方のスロット体１１の各サイドに取り付けられた一対のコイル６５、６６を特徴としている。なお第５のコイル６５はポットコアを形成する小さい筒形の中心部６１に巻かれており筒形中心部６１の外端面には大きなフランジ部６３が形成されていてコイル６５がほぼ囲まれている。
【００１８】
また第６のコイル６６も同様にポットコアを形成する小さい筒形の中心部６２に巻かれており筒形中心部６２の外端面には大きなフランジ部６４が形成されていてコイル６６がほぼ囲まれている。センサ用の第５ならびに第６のコイル６５、６６は直列に接続されて前述と同様に発振回路（図示略）に接続され此の発振回路に検波回路（図示略）が接続され此の検波回路には整流回路（図示略）が接続され此の整流回路は変換器３７（図３を参照）に接続される。
【００１９】
なおコイル６５、６６に接続される発振回路は第１、第２の発振回路３１、３２よりも低い周波数の信号を発振することが望ましい。図５に示されるように落下コイン１２が通路１３を通過すると発振回路（図示略）による発振信号の振幅が変化されることになる。コイン１２の通過によって振幅が変化された発振信号は検波回路（図示略）で検波されると共に整流回路（図示略）によって整流され更に変換器３７によってデジタル信号の第３のデータに変換され信号処理ユニット３８に送信される。
【００２０】
なお第５、第６コイル６５、６６による第３のテータは主にコイン１２の材質に関連している。したがって予め真正なコイン１２の第３のデータを得てメモリ３９に記憶しておくと通過するコイン１２が真正なものか否かが判定できることになる。この結果、本装置のコイン判別能力が向上することになる。また図５の場合、通路１３を落下する最小のコイン１２が図示のように中央の筒形コア６１、６２を必ず覆うようにコイル６５、６６が配置される必要がある。また、図面の実施例では通路１３が垂直に形成されているが多少の傾斜があっても良いことは勿論である。
【００２１】
また、スロット体１１は厚手板形であるがコイル２１を巻き易いように端面が長いリング形に形成されても良いことは勿論である。また、一対のコア１５、１６は端面をＵ形としたが例えばＨ形でも良く或いはＣ形であっても良いことは勿論である。
【発明の効果】
以上のように本発明は簡単な構成で円板体であるコインを自重落下させてコインの種類などを瞬間的に判別できることになるため装置を小形化できると共にコインの判別速度を大幅に向上できるという大きな効果が得られることになる。
【図面の簡単な説明】
【図１】図１の（Ａ）は本発明による一実施例の要部を概略的に示した斜視図であり、図１の（Ｂ）は当該要部を正面から見た概略の断面図である。
【図２】図２の（Ａ）は図１の実施例の接続関係を示す説明図であり、図２の（Ｂ）は同上要部の磁束を示すための説明図である。
【図３】図３は上記の実施例に使用されるブロック回路図である。
【図４】図４は本発明による他の実施例を示す断面端面図とブロック回路図である。
【図５】図５は本発明による他のもう一つの実施例を示すための断面端面図である。
【符号の説明】
円板体・・・１２：コイン、
通路手段・・・１１：スロット体、１３：通路、
第１のコイル手段・・・２１：第１のコイル、
第１のコア手段・・・１５：第１コア
第２のコア手段・・・１６：第２コア
第２のコイル手段・・・２２：第２コイル
第３のコイル手段・・・２３：第３コイル
【図１】
0003867111.tif 000002
【図２】
0003867111.tif 000003
【図３】
0003867111.tif 000004
【図４】
0003867111.tif 000005
【図５】
0003867111.tif 000006